(57)【要約】【課題】複数の被締結部材どうしを各被締結部材に設けた装着孔に締結手段を装着して締結する締結手段を取り外す際に、締結手段を回転させることにより自ら変形させて締結の状態を解除することができる締結構造等を提供する。【解決手段】締結構造は、装着孔21，31が設けられた複数の被締結部材２，３どうしを装着孔に締結手段５を装着して締結する構造であって、締結手段５は、装着孔21，31に挿入される胴部51と、胴部51の一端側に設けられて装着孔21，31に挿入できない頭部52と、胴部51の他端側に設けられて頭部52と反対側に位置する被締結部材３の装着孔31の開口縁に引っ掛けて係止させる係止部53を有し、かつ、締結手段５は、締結の際に頭部52を残して胴部51を各被締結部材の装着孔21，31に挿入して係止部53を係止させた状態にし、取り外しの際に頭部52を回転させることにより胴部51を変形させて係止部53の係止した状態を解除する。【選択図】図５
2020026860.tif 000002
【特許請求の範囲】
【請求項１】
装着孔が設けられた複数の被締結部材どうしを前記装着孔に締結手段を装着して締結する構造であって、
前記締結手段は、前記装着孔に挿入される胴部と、前記胴部の一端側に設けられて前記装着孔に挿入できない頭部と、前記胴部の他端側に設けられて前記頭部と反対側に位置する前記被締結部材の前記装着孔の開口縁に引っ掛けて係止させる係止部を有し、
かつ、前記締結手段は、締結の際に前記頭部を残して前記胴部を前記各被締結部材の前記装着孔に挿入して前記係止部を係止させた状態にし、取り外しの際に前記頭部を回転させることにより前記胴部を変形させて前記係止部の係止した状態を解除する締結構造。
【請求項２】
前記締結手段は、前記胴部の前記頭部と前記係止部との間になる部位に設けられる凸部を有し、
前記複数の被締結部材のうち少なくとも締結の際に前記締結手段の頭部が位置する被締結部材における装着孔は、その内壁面に前記凸部が収容されるよう前記締結手段の胴部の挿入方向に沿って直線状に延びる収容溝部が設けられている請求項１に記載の締結構造。
【請求項３】
前記締結手段は、前記胴部の前記頭部と前記係止部との間になる部位に設けられる凸部を有し、
前記複数の被締結部材の少なくとも１つの被締結部材における前記装着孔は、その内壁面に前記凸部が締結の完了の際に収容される収容凹部が設けられている請求項１に記載の締結構造。
【請求項４】
前記締結手段は、前記頭部の前記胴部側の部位に被案内突起を有し、
前記複数の被締結部材のうち締結の際に前記締結手段の頭部が位置する被締結部材は、前記装着孔の周囲に、前記締結手段の被案内突起と対向する対向面部と前記対向面部から前記胴部の挿入方向とは反対側の引き抜き方向に上がるよう傾斜する斜面部とからなる取り外し案内部が設けられており、
前記締結手段の取り外しの際、前記被案内突起は、前記取り外し案内部における前記対向面部および斜面部に接触して案内される請求項１乃至３のいずれか１項に記載の締結構造。
【請求項５】
前記複数の被締結部材のうち締結の際に前記締結手段の頭部が位置する被締結部材は、前記装着孔の周囲に前記締結手段の頭部全体を収容するよう陥没した陥没凹部を有し、
前記締結手段の頭部の表面に回転用の工具を嵌め入れる工具用凹部が設けられている請求項１乃至４のいずれか１項に記載の締結構造。
【請求項６】
前記収容凹部が設けられる被締結部材は、前記装着孔の内壁面のうち前記収容凹部から前記胴部の挿入方向と交差する方向に離れた部位に、前記凸部が接触して前記胴部の挿入方向とは反対側の引き抜き方向に斜め上向きに案内される案内突部が設けられている請求項３に記載の締結構造。
【請求項７】
前記収容凹部が設けられる被締結部材は、前記装着孔の内壁面のうち前記収容凹部から前記胴部の挿入方向と交差する方向に離れた部位に、前記凸部が接触して前記胴部の挿入方向とは反対側の引き抜き方向に斜め上向きに案内される案内溝部が設けられている請求項３に記載の締結構造。
【請求項８】
前記複数の被締結部材のうち締結の際に前記締結手段の頭部が位置する被締結部材は、前記装着孔の周囲に前記締結手段の頭部全体を収容するよう陥没した陥没凹部を有し、
前記陥没凹部の底面部に前記取り外し案内部が設けられており、前記締結手段の頭部の表面に回転作業用の工具を嵌め入れる工具用凹部が設けられている請求項４に記載の締結構造。
【請求項９】
前記締結手段の胴部は、その挿入方向の先端部から少なくとも前記頭部の手前の部位まで連続する隙間にて複数に分割された分割胴部として構成されている請求項１乃至８のいずれか１項に記載の締結構造。
【請求項１０】
装着孔が設けられた複数の被締結部材どうしを前記装着孔に締結手段を装着して締結する構造を備え、
前記締結構造が請求項１乃至９のいずれか１項に記載の締結構造にて構成されている画像形成装置。
【請求項１１】
前記複数の被締結部材は覆い部材と支持部材を含む請求項１０に記載の画像形成装置。
【発明の詳細な説明】
【技術分野】
【０００１】
この発明は、締結構造および画像形成装置に関するものである。
【背景技術】
【０００２】
従来、複数の被締結部材どうしを締結する技術としては、以下の特許文献１、２に記載されたものが知られている。
【０００３】
特許文献１には、冷蔵庫等のファングリルを冷蔵庫等の本体に締結する熱可塑性形状記憶樹脂製の固定手段と、この固定手段の挿入のために外周に形成されたフランジと、各フランジに設けられる切り離し用の打ち抜きのスリットと、フランジどうしを接続する連結手段とを備え、ファングリルの締結時、一つのフランジを切り離してから順番に全てのフランジを切り離していく技術が記載されている。また特許文献１には、前記固定手段がリベットで構成されることも記載されている。
【０００４】
特許文献２には、少なくとも２つの部材を定型するための、ねじ、リベット又はプッシュピンとリベットとの２部品で構成され、プッシュピンの押しこみによってリベット頂部が開くプッシュリベットなどの結合用の部品であって、締結部品の全体又は一部の材質が特定の溶質によって溶解可能である締結部品が記載されている。また特許文献２には、前記特定の溶質が水、アルコール又は石油類であることも記載されている。
【先行技術文献】
【特許文献】
【０００５】
【特許文献１】特許第４１９７２１０号公報（請求項１，２、実施の形態１、図１−図６）
【特許文献２】特開２００６−２３４１０８号公報（請求項１，２、段落００１７−００２４、図１−６）
【発明の概要】
【発明が解決しようとする課題】
【０００６】
この発明は、複数の被締結部材どうしを各被締結部材に設けた装着孔に装着して締結する締結手段を取り外す際に、締結手段を回転させることにより自ら変形させて締結の状態を解除することができる締結構造およびそれを用いた画像形成装置を提供するものである。
【課題を解決するための手段】
【０００７】
この発明（Ａ１）の締結構造は、
装着孔が設けられた複数の被締結部材どうしを前記装着孔に締結手段を装着して締結する構造であって、
前記締結手段は、前記装着孔に挿入される胴部と、前記胴部の一端側に設けられて前記装着孔に挿入できない頭部と、前記胴部の他端側に設けられて前記頭部と反対側に位置する前記被締結部材の前記装着孔の開口縁に引っ掛けて係止させる係止部を有し、
かつ、前記締結手段は、締結の際に前記頭部を残して前記胴部を前記各被締結部材の前記装着孔に挿入して前記係止部を係止させた状態にし、取り外しの際に前記頭部を回転させることにより前記胴部を変形させて前記係止部の係止した状態を解除するものである。
【０００８】
また、この発明（Ａ２）の締結構造は、上記発明Ａ１の締結構造において、前記締結手段は、前記胴部の前記頭部と前記係止部との間になる部位に設けられる凸部を有し、前記複数の被締結部材のうち少なくとも締結の際に前記締結手段の頭部が位置する被締結部材における装着孔は、その各内壁面に前記凸部が収容されるよう前記締結手段の胴部の挿入方向に沿って直線状に延びる収容溝部が設けられているものである。
この発明（Ａ３）の締結構造は、上記発明Ａ１の締結構造において、前記締結手段は、前記胴部の前記頭部と前記係止部との間になる部位に設けられる凸部を有し、前記複数の被締結部材の少なくとも１つの被締結部材における前記装着孔は、その内壁面に前記凸部が締結の完了の際に収容される収容凹部が設けられているものである。
この発明（Ａ４）の締結構造は、上記発明Ａ１からＡ３のいずれかの締結構造において、前記締結手段は、前記頭部の前記胴部側の部位に被案内突起を有し、前記複数の被締結部材のうち締結の際に前記締結手段の頭部が位置する被締結部材は、前記装着孔の周囲に、前記締結手段の被案内突起と対向する対向面部と前記対向面部から前記胴部の挿入方向とは反対側の引き抜き方向に上がるよう傾斜する斜面部とからなる取り外し案内部が設けられており、前記締結手段の取り外しの際、前記被案内突起は、前記取り外し案内部における前記対向面部および斜面部に接触して案内されるものである。
この発明（Ａ５）の締結構造は、上記発明Ａ１からＡ４のいずれかの締結構造において、前記複数の被締結部材のうち締結の際に前記締結手段の頭部が位置する被締結部材は、前記装着孔の周囲に前記締結手段の頭部全体を収容するよう陥没した陥没凹部を有し、前記締結手段の頭部の表面に回転用の工具を嵌め入れる工具用凹部が設けられているものである。
【０００９】
この発明（Ａ６）の締結構造は、上記発明Ａ３の締結構造において、前記収容凹部が設けられる被締結部材は、前記装着孔の内壁面のうち前記収容凹部から前記胴部の挿入方向と交差する方向に離れた部位に、前記凸部が接触して前記胴部の挿入方向とは反対側の引き抜き方向に斜め上向きに案内される案内突部が設けられているものである。
この発明（Ａ７）の締結構造は、上記発明Ａ３の締結構造において、前記収容凹部が設けられる被締結部材は、前記装着孔の内壁面のうち前記収容凹部から前記胴部の挿入方向と交差する方向に離れた部位に、前記凸部が接触して前記胴部の挿入方向とは反対側の引き抜き方向に斜め上向きに案内される案内溝部が設けられているものである。
この発明（Ａ８）の締結構造は、上記発明Ａ４の締結構造において、前記複数の被締結部材のうち締結の際に前記締結手段の頭部が位置する被締結部材は、前記装着孔の周囲に前記締結手段の頭部全体を収容するよう陥没した陥没凹部を有し、前記陥没凹部の底面部に前記取り外し案内部が設けられており、前記締結手段の頭部の表面に回転作業用の工具を嵌め入れる工具用凹部が設けられているものである。
この発明（Ａ９）の締結構造は、上記発明Ａ１からＡ８のいずれかの締結構造において、前記締結手段の胴部は、その挿入方向の先端部から少なくとも前記頭部の手前の部位まで連続する隙間にて複数に分割された分割胴部として構成されているものである。
【００１０】
さらに、この発明（Ｂ１）の画像形成装置は、装着孔が設けられた複数の被締結部材どうしを前記装着孔に締結手段を装着して締結する構造を備え、前記締結構造が上記Ａ１からＡ９のいずれかの締結構造にて構成されているものである。
この発明（Ｂ２）の画像形成装置は、上記発明Ｂ１の画像形成装置において、前記複数の被締結部材は覆い部材と支持部材を含むものである。
【発明の効果】
【００１１】
上記発明Ａ１の締結構造によれば、複数の被締結部材どうしを各被締結部材に設けた装着孔に装着して締結する締結手段を取り外す際に、締結手段を回転させることにより自ら変形させて締結の状態を解除することができる。
上記発明Ａ２によれば、締結の際に締結手段の凸部を収容すべき収容溝部の位置を確認したうえで締結手段の装着作業ができる。
上記発明Ａ３によれば、収容凹部を必要最小限の大きさで済ませることができる。
上記発明Ａ４によれば、締結手段を取り外す際に頭部を回転させたときに、頭部を被締結部材から浮き上がらせた状態にすることができる。
上記発明Ａ５によれば、締結した際に締結手段の頭部を被締結部材の表面から突出させない状態にすることができ、締結手段の頭部の表面に工具用凹部を設けない場合に比べて取り外す際に締結手段の突出していない状態の頭部でも容易に回転させることができる。
【００１２】
上記発明Ａ６によれば、締結手段を取り外す際に頭部を回転させたときに、頭部を被締結部材から浮き上がらせた状態にすることができる。
上記発明Ａ７によれば、締結手段を取り外す際に頭部を回転させたときに、案内溝部が係止部の移動の障害にならず、頭部を被締結部材から浮き上がらせた状態にすることができる。
上記発明Ａ８によれば、締結した際に締結手段の頭部を取り外し案内部と共に被締結部材の表面から突出させない状態にすることができ、締結手段の頭部の表面に工具用凹部を設けない場合に比べて取り外す際に締結手段の突出していない状態の頭部でも容易に回転させることができる。
上記発明Ａ９によれば、締結手段を取り外す際に回転させたときに、胴部が容易に変形して係止部の係止した状態を解除することができる。
【００１３】
上記発明Ｂ１の画像形成装置によれば、画像形成装置における複数の被締結部材どうしを各被締結部材に設けた装着孔に装着して締結する締結手段を取り外す際に、締結手段を回転させることにより自ら変形させて締結の状態を解除することができる。
上記発明Ｂ２によれば、覆い部材を締結手段により支持部材に締結させて取り付けた後に覆い部材を支持部材から取り外す必要があるときには、締結手段を回転させて取り外す作業を行うだけで簡単に取り外すことができる。
【図面の簡単な説明】
【００１４】
【図１】実施の形態１に係る締結構造の構成を示し、（Ａ）は締結構造の締結前又は締結解除時の状態を示す分解概要図、（Ｂ）は締結構造の締結した状態を示す概要図である。
【図２】（Ａ）は図１の締結構造に用いる締結手段の斜視図、（Ｂ）は（Ａ）の締結手段を斜め下方から見たときの斜視図、（Ｃ）は（Ａ）の締結手段を別の角度の斜め下方から見たときの斜視図である。
【図３】（Ａ）は図２の締結手段の構成を示す概要図、（Ｂ）は（Ａ）の締結手段を下方から見たときの構成を示す概略図である。
【図４】（Ａ）は図１の締結構造に用いる被締結部材の一部を示す斜視図、（Ｂ）は（Ａ）の被締結部材のＱ−Ｑ線に沿う概略断面図である。
【図５】図１の締結構造の締結した状態を解除するときの動作の推移状態を示す概要図である。
【図６】図１の締結構造を適用した画像形成装置およびその一部を拡大して示す概略斜視図および拡大斜視図である。
【図７】実施の形態２に係る締結構造の構成を示し、（Ａ）はその締結構造に用いる締結手段の構成を示す概要図、（Ｂ）は（Ａ）の締結手段を下方から見たときの構成を示す概略図である。
【図８】（Ａ）は図７の締結構造に用いる被締結部材の一部を示す斜視図、（Ｂ）は（Ａ）の被締結部材のＱ−Ｑ線に沿う概略断面図である。
【図９】図８の被締結部材における装着孔の案内突部の構成を示す図である。
【図１０】図７の締結構造の締結した状態を解除するときの動作の推移状態を示す概要図である。
【図１１】実施の形態３に係る締結構造の構成を示し、（Ａ）はその締結構造に用いる被締結部材の一部を示す斜視図、（Ｂ）は（Ａ）の被締結部材のＱ−Ｑ線に沿う概略断面図である。
【図１２】図１１の被締結部材における装着孔の案内突部の構成を示す図である。
【図１３】図１１の締結構造の締結した状態を解除するときの動作の推移状態を示す概要図である。
【図１４】装着孔に収容凹部を設けた被締結部材を用いる場合の締結構造の構成例を示す図である。
【図１５】３つの被締結部材を用いる場合の締結構造の構成例を示す図である。
【発明を実施するための形態】
【００１５】
以下、この発明を実施するための形態について図面を参照しながら説明する。
【００１６】
［実施の形態１］
図１から図４は、この発明の実施の形態１を示すものである。図１は実施の形態１に係る締結構造の構成を示し、図２および図３は図１の締結構造に用いる締結手段の構成を示し、図４は図１の締結構造に用いる被締結部材における装着孔等の構成を示している。
各図面中に符号Ｘ，Ｙ，Ｚで示す矢印は、各図面において想定した３次元空間の幅、高さおよび奥行の各方向を示す。また図１等においてＸ，Ｙの方向の矢印が交わる部分の丸印は、Ｚの方向が図面の垂直下方に向いていることを示している。
【００１７】
＜締結構造の構成＞
実施の形態１に係る締結構造１Ａは、図１に示されるように、装着孔２１，３１が設けられた２つの被締結部材２，３どうしをその装着孔２１，３１に締結手段５Ａを装着することにより締結する構造である。図１における矢印Ａ１は締結手段５Ａの挿入方向を示し、矢印Ａ２は締結手段５Ａの挿入方向Ａ１とは反対方向の引き抜き方向を示す。
【００１８】
＜締結手段の構成＞
この締結構造１Ａに用いる締結手段５Ａは、図１から図３等に示されるように、被締結部材２，３における装着孔２１，３１に挿入される部分である胴部５１と、胴部５１の一端側に存在して装着孔２１，３１に挿入できない部分である頭部５２と、胴部５１の他端側に存在して頭部５２と反対側に位置する被締結部材３の装着孔３１の開口縁に引っ掛けて係止させる部分である係止部５３と、胴部５１の頭部５２と係止部５３との間になる部位に設けられる凸部５４とを有する構造物である。
【００１９】
このうち胴部５１は、締結する対象の被締結部材２，３における装着孔２１，３１を貫通して突出する程度の長さを有するものである。
実施の形態１における胴部５１は、その外観がほぼ円柱の外周曲面を有する形状からなるものであり、詳しくはその挿入方向Ａ１の先端部から少なくとも頭部５２の手前の部位まで連続する隙間５５が中心部に存在して分けられるよう２つに分割された分割胴部５１Ａ，５１Ｂとして構成されている。以下では、この分割胴部５１Ａ，５１Ｂを単に胴部５１と称することもある。そして、この分割胴部５１Ａ，５１Ｂは、その各下端部どうしが接近する方向に撓むことが可能な材料（例えば合成樹脂など）にて構成されている。また、この分割胴部５１Ａ，５１Ｂは、その下端部に挿入方向Ａ１の下流側にむけて先細りするよう傾斜するテーパー面５１ａが設けられている。
【００２０】
頭部５２は、装着孔２１，３１の孔径Ｄ１又は胴部５１の外径よりも大きい寸法の外径と所要の厚さｈ１からなる円板状の部分として構成されている。
実施の形態１における頭部５２は、その胴部５１とは反対側の表面（上面）５２ａに、締結手段５Ａを取り外す際に頭部５２（実際には締結手段５Ａの全体）を所要の方向Ｂに回転させるために用いる回転用の工具２００（図５）を嵌め入れる工具用凹部５６が設けられている。
回転用の工具２００としては、例えば、ドライバーが挙げられる。また、工具用凹部５６は、回転用の工具２００における嵌め入れ先端部（作用部）の形状に適合させた形状からなる凹部であり、実施の形態１では十字の形状からなる凹部を採用している。
【００２１】
係止部５３は、図３（Ａ）に拡大して示されるように、胴部５１から所要の突出量ｅ１でかつ所要の幅ｗ１で突出した形状であって係止すべき対象となる装着孔（３１）の開口縁に引っ掛けて留めることが可能な形状を有した部分として構成されている。突出量ｅ１と幅ｗ１については、例えば、装着孔の開口縁に引っ掛けて留めるために必要な寸法や、締結手段５Ａの装着作業時や取り外し作業時に装着孔２１，３１を通過するときの通過容易性等を考慮して設定される。
また、係止部５３は、胴部５１のうち頭部５２の胴部５１がある裏面（下面）から所要の距離Ｌだけ離れた部位に設けられる。このときの距離Ｌは、例えば、締結したときの被締結部材２，３における装着孔２１，３１の離された側の開口縁どうしの離間した距離よりもわずかに長い寸法に設定される。
【００２２】
実施の形態１における係止部５３は、分割胴部５１Ａ，５１Ｂにそれぞれ設けた２つの係止部５３Ａ，５３Ｂとして構成されている。
この係止部５３Ａ，５３Ｂは、分割胴部５１Ａ，５１Ｂの各下端側の位置であって円筒面状の各外周面のほぼ中央の位置にそれぞれ設けられている。また、係止部５３Ａ，５３Ｂは、分割胴部５１Ａ，５１Ｂの各外面からほぼ直角の方向にそれぞれ突出する面からなる突出面部５３ｍとその突出面部５３ｍから分割胴部５１Ａ，５１Ｂの各下端にむけてそれぞれ接近するよう傾斜する斜面部５３ｋとを有した形状で形成されている。突出面部５３ｍは、例えば、半円状の面で形成されている。
【００２３】
凸部５４は、胴部５１から所要の突出量ｅ２でかつ所要の幅ｗ２で突出した形状の部分として構成されている。突出量ｅ２と幅ｗ２については、締結手段５Ａの取り外しの際に、装着孔（２１）の内壁面に強制的に接触させられたときの反動により分割胴部５１Ａ，５１Ｂを押してその下端部が接近するように撓ませることにより係止部５３Ａ，５３Ｂの係止した状態を解除するために必要な撓み量や、締結手段５Ａの装着作業時や取り外し作業時に装着孔２１等を通過するときの通過容易性等を考慮して設定される。
また、凸部５４は、胴部５１のうち係止部５３から頭部５２にむけて所要の距離Ｎだけ離れた部位に設けられる。このときの距離Ｎは、例えば、上記必要な撓み量を有効に実現できる度合い等を考慮して設定される。
【００２４】
実施の形態１における凸部５４は、係止部５３の場合と同様に、分割胴部５１Ａ，５１Ｂにそれぞれ設けた２つの凸部５４Ａ，５４Ｂで構成されている。
この凸部５４Ａ，５４Ｂは、分割胴部５１Ａ，５１Ｂの各下端部と頭部５２との間の位置であってその円筒面状の外周面のほぼ中央の位置に設けられている。これにより、凸部５４Ａ，５４Ｂは、係止部５３Ａ，５３Ｂと、分割胴部５１Ａ，５１Ｂの挿入方向Ａ１に沿う一直線上に存在するような位置関係で配置されている。
また、凸部５４Ａ，５４Ｂはいずれも、例えば半球体状の形状で形成されている。実施の形態１では、凸部５４Ａ，５４Ｂの突出量ｅ２および幅ｗ２について、係止部５３Ａ，５３Ｂの突出量ｅ１および幅ｗ１とほぼ同じ値に設定している。
【００２５】
また、この締結手段５Ａは、頭部５２の胴部５１のある裏面５２ｂに、締結手段５Ａの取り外しの際の引き抜き方向Ａ２への移動を補助するよう案内される被案内突起５７が設けられている。
この被案内突起５７は、締結手段５Ａの取り外しの際、後述する取り外し案内部（４６）における対向面部（４６ｍ）および斜面部（４６ｋ）に接触して案内される。
【００２６】
実施の形態１における被案内突起５７は、頭部５２の裏面５２ｂのうち分割胴部５１Ａ，５１Ｂとそれぞれ向き合う外周側の端部に設けた２つの被案内突起５７Ａ，５７Ｂで構成されている。
被案内突起５７Ａ，５７Ｂは、図３等に示されるように、頭部５２の裏面５２ｂから下方に垂下した位置で裏面５２ｂとほぼ平行な被案内面からなる下面部５７ｍを有した形状の部分である。下面部５７ｍは、頭部５２の裏面５２ｂから所要の高さｈ２で形成されている。
また、被案内突起５７Ａ，５７Ｂは、下面部５７ｍの一端に、締結手段５Ａの取り外し時に回転させるときの回転方向Ｂの下流側にむけて裏面５２ｂに接近するよう傾斜する斜面部５７ｋが形成されている。この斜面部５７ｋは、取り外し案内部（４６）における斜面部（４６ｋ）とほぼ同じ角度で傾斜する傾斜面で形成されている。さらに、被案内突起５７Ａ，５７Ｂは、下面部５７ｍの斜面部５７ｋとは反対側の部分を、頭部５２の裏面５２ｂから垂下する垂下面５７ｊとして形成されている。
【００２７】
＜被締結部材と装着孔等の構成＞
一方、被締結部材２，３は、締結手段５Ａが装着される装着孔２１，３１が設けられていて、その締結手段５Ａにより締結する対象となる部材である。
被締結部材２，３としては、例えば、後述する画像形成装置１００における覆い部材２０と支持部材３０が適用される。
【００２８】
装着孔２１，３１は、被締結部材２，３の間において同じ数で締結の際に互いに対応する位置にそれぞれ設けられる。
また、装着孔２１，３１は、図１に示されるように、締結手段５Ａの胴部５１を貫通させることができるよう同じ孔径Ｄ１の丸孔として形成される。
【００２９】
装着孔２１，３１のうち締結の際に締結手段５Ａの頭部５２が位置する側になる被締結部材２の装着孔２１は、図１や図４等に示されるように、その内壁面に締結手段５Ａの凸部５４が収容される収容溝部４１が設けられている。
なお、実施の形態１における装着孔２１は、被締結部材２と被締結部材３とが所要の隙間Ｓをあけた状態で締結されるよう、被締結部材２から被締結部材３の装着孔３１にむけて突出する形態の間隔保持部を兼ね備えた部位として構成されている。
【００３０】
実施の形態１における収容溝部４１は、締結手段５Ａにおける２つの凸部５４Ａ，５４Ｂにそれぞれ対応して設けられる２つの収容溝部４１Ａ，４１Ｂで構成されている。
この収容溝部４１Ａ，４１Ｂは、装着孔２１の内壁面においてその上端２１ａからその下端２１ｂに至るまで胴部５１の挿入方向Ａ１に沿うよう直線状に延びる溝として設けられている。
また、この収容溝部４１Ａ，４１Ｂは、図４に示されるように、半円形の断面形状からなり、かつ装着孔２１の内壁面から所要の深さｍ１および幅ｗ３からなる一直線状の溝として形成されている。このときの深さｍ１および幅ｗ３については、凸部５４Ａ，５４Ｂが収容溝部４１Ａ，４１Ｂに対して接触せずに通過および収容ができるように、凸部５４Ａ，５４Ｂにおける突出量ｅ２および幅ｗ２よりも大きい寸法に設定されている。装着孔２１の収容溝部４１Ａ，４１Ｂが設けられた部分の孔径（離間距離）は、収容溝部４１Ａ，４１Ｂの各深さｍ１が追加される分だけ、装着孔２１の孔径Ｄ１よりも広くなる。
さらに、この収容溝部４１Ａ，４１Ｂは、装着孔２１の内壁面との境界になる角部をアール面４１ｒとして形成している。これにより、締結手段５Ａの取り外しの際における回転時に、凸部５４Ａ，５４Ｂが収容溝部４１Ａ，４１Ｂから脱出して装着孔２１の内壁面に乗り上げるための移動がしやすくなる。
【００３１】
また、被締結部材２は、図１や図４に示されるように、その装着孔２１の周囲に、締結手段５Ａの頭部５２全体を収容するよう陥没した陥没凹部４５が設けられている。
実施の形態１における陥没凹部４５は、孔径Ｄ１の丸孔からなる装着孔２１の中心から円板からなる頭部５２を収容するに足りる半径からなる円板形の凹部として形成されている。陥没凹部４５の深さｊ１は、頭部５２の厚さｈ１と同じ寸法か又は少し大きい寸法に設定されている。
【００３２】
しかも、この陥没凹部４５の底面部４５ｄ又は装着孔２１の周囲には、締結手段５Ａの被案内突起５７を案内する取り外し案内部４６が設けられている。
この取り外し案内部４６は、被案内突起５７と対向する対向面部４６ｍと、その対向面部４６ｍから締結手段５Ａの胴部５１の引き抜き方向Ａ２に上がるよう傾斜する斜面部４６ｋとを有する形状からなる部分である。
【００３３】
実施の形態１における取り外し案内部４６は、２つの被案内突起５７Ａ，５７Ｂに対応して設けられる２つの取り外し案内部４６Ａ，４６Ｂで構成されている。
この取り外し案内部４６Ａ，４６Ｂにおける対向面部４６ｍは、締結の際に被案内突起５７Ａ，５７Ｂの各下面部５７ｍにそれぞれ向き合うとともにほぼ平行する案内面が形成された部分である。
この対向面部４６ｍは、陥没凹部４５の底面部４５ｄからの深さｊ２が、被案内突起５７Ａ，５７Ｂの下面部５７ｍの高さｈ２とほぼ同じ寸法に設定されている。
また、対向面部４６ｍは、その鉛直面４６ｅから斜面部４６ｋに至るまでの長さについて、締結手段５Ａの取り外しの際の矢印Ｂで示す方向への回転時に凸部５４Ａ，５４Ｂが装着孔２１の収容溝部４１Ａ，４１Ｂから脱出して装着孔２１の内壁面に乗り上げるまでに必要な長さに設定されている。
【００３４】
また、対向面部４６ｍは、その斜面部４６ｋとは反対側の部分が、対向面部４６ｍからほぼ鉛直に立ち上がって陥没凹部４５の底面部４５ｄまでに至る鉛直面４６ｅとして形成されている。
実施の形態１では、この鉛直面４６ｅと被案内突起５７Ａ，５７Ｂにおける垂下面５７ｊについて、締結手段５Ａにおける凸部５４Ａ，５４Ｂが装着孔２１の収容溝部４１Ａ，４１Ｂに収容されているときに互いに接触又は接近した状態になる位置関係で形成している。これにより、鉛直面４６ｅは、垂下面５７ｊと協働して、締結後において締結手段５Ａが矢印Ｂで示す方向とは反対側の方向に回転されることを阻止する停止手段として機能するよう構成されている。
【００３５】
取り外し案内部４６Ａ，４６Ｂにおける各斜面部４６ｋは、締結手段５Ａの取り外しの際に胴部５１を引き抜き方向Ａ２に移動させるよう案内する傾斜面が形成された部分である。
この斜面部４６ｋは、締結手段５Ａの取り外しの際に締結手段５Ａにおける凸部５４Ａ，５４Ｂが装着孔２１の収容溝部４１Ａ，４１Ｂから脱出して装着孔２１の内壁面に乗り上げた後に、被案内突起５７Ａ，５７Ｂの斜面部５７ｋをきっかけにしてその各下面部５７ｍを締結手段５Ａの引き抜き方向Ａ２にむけて斜め上向きに案内する案内面となる。
また、この斜面部４６ｋは、締結手段５Ａにおける凸部５４Ａ，５４Ｂが装着孔２１の収容溝部４１Ａ，４１Ｂから脱出して内壁面に乗り上げている間（回転方向Ｂの先にある別の４１Ｂ，４１Ａに再収容される前）に、締結手段５Ａの頭部５２を被締結部材２の外表面から浮き上がらせた状態にすることを実現するために必要な傾斜角および傾斜長さに設定されている。
【００３６】
実施の形態１では、取り外し案内部４６Ａ，４６Ｂにおける対向面部４６ｍおよび斜面部４６ｋが、図４（Ａ）に示されるように、装着孔２１における収容溝部４１Ａ，４１Ｂを基準にして対応する所要の位置に存在するよう配置している。また、被案内突起５７についても、その下面部５７ｍおよび斜面部５７ｋが、図３（Ｂ）に示されるように締結手段５Ａにおける凸部５４Ａ，５４Ｂを基準にして対応する所要の位置に存在するように配置している。
つまり、実施の形態１では、このような位置関係で配置していることにより、締結手段５Ａを凸部５４Ａ，５４Ｂが収容溝部４１Ａ，４１Ｂに収容された状態で挿入すれば、締結手段５Ａの装着が完了したときに、取り外し案内部４６Ａ，４６Ｂにおける対向面部４６ｍと斜面部４６ｋに対して被案内突起５７における下面部５７ｍと斜面部５７ｋがそれぞれ対向して収容された状態にほぼ自動的になるようにしている。
【００３７】
＜締結手段を用いた締結の動作＞
この締結手段５Ａを用いた締結構造１Ａの締結は、図１に例示するように、締結する対象となる２つの被締結部材２，３の一方をその他方に向かい合わせて被締結部材２，３にある各装着孔２１，３１どうしが整合して対向する状態にした後、締結手段５Ａを被締結部材２の装着孔２１から挿入して装着することにより行われる。
【００３８】
この際、締結手段５Ａは、その分割胴部５１Ａ，５１Ｂの下端部から装着孔２１に挿し込まれる。
【００３９】
この装着するときの締結手段５Ａは、分割胴部５１Ａ，５１Ｂの下端側にある２つの係止部５３Ａ，５３Ｂが装着孔２１の外側に突出している関係にあるので、一般的には装着孔２１に強く押し込み、分割胴部５１Ａ，５１Ｂをその下端部が接近するように撓ませた状態にして係止部５３Ａ，５３Ｂを装着孔２１内に進入させることになる。
しかし、この場合でも、締結手段５Ａは、分割胴部５１Ａ，５１Ｂの下端部がテーパー面５１ａになっていることや係止部５３Ａ，５３Ｂがテーパー面５１ａと連続するような斜面部５３ｋを有しているので、その分割胴部５１Ａ，５１Ｂを撓ませることや係止部５３Ａ，５３Ｂと共に装着孔２１内へ進入させることが比較的容易に行われる。
【００４０】
また、この装着するときの締結手段５Ａは、装着孔２１にある収容溝部４１Ａ，４１Ｂの位置を目視により図４（Ａ）に例示するような状態として確認することができる。
これにより、締結手段５Ａは、その収容溝部４１Ａ，４１Ｂの位置を確認したうえでの装着作業が可能になる。例えば、締結手段５Ａは、２つの凸部５４Ａ，５４Ｂを最初から装着孔２１にある収容溝部４１Ａ，４１Ｂに収容させるように位置合わせした状態で装着することが可能になる。
【００４１】
特にこの締結手段５Ａにおける係止部５３Ａ，５３Ｂおよび凸部５４Ａ，５４Ｂは、その突出量ｅ１，ｅ２および幅ｗ１，ｗ２がいずれもほぼ同じ寸法で形成されている関係にあるとともに胴部５１の挿入方向Ａ１に沿う同じ直線に存在するという位置関係にあるので、その両者が収容溝部４１Ａ，４１Ｂに対してそれぞれ連続して収容されるようになっている。
これにより、締結手段５Ａは、装着孔２１に挿し込む際に、その係止部５３Ａ，５３Ｂを装着孔２１にある収容溝部４１Ａ，４１Ｂに最初から収容させるように位置を調整して挿し込めば、その凸部５４Ａ，５４Ｂも係止部５３Ａ，５３Ｂに続けて収容溝部４１Ａ，４１Ｂに収容した状態にして挿入作業を行うことが可能になる。
この結果、締結手段５Ａの分割胴部５１Ａ，５１Ｂは、係止部５３Ａ，５３Ｂおよび凸部５４Ａ，５４Ｂが一直線状に延びる収容溝部４１Ａ，４１Ｂに案内された状態で装着孔２１内を容易に移動する。このときの分割胴部５１Ａ，５１Ｂは、係止部５３Ａ，５３Ｂおよび凸部５４Ａ，５４Ｂが収容溝部４１Ａ，４１Ｂにほぼ非接触の状態で収容されて移動するので、上記撓まさられることなく移動する。
【００４２】
続いて、締結手段５Ａは、係止部５３Ａ，５３Ｂが装着孔２１を通過し終わって被締結部材３における装着孔３１を通過する段階になると、次の装着過程を経ることになる。
つまり、装着孔３１には装着孔２１にある収容溝部４１Ａ，４１Ｂが存在しない。このため、このときの締結手段５Ａは、係止部５３Ａ，５３Ｂが孔径Ｄ１の装着孔３１を通過し始めることに併せて分割胴部５１Ａ，５１Ｂがその下端部を接近するように一時的に撓んで変形した状態になる。これにより、締結手段５Ａは、係止部５３Ａ，５３Ｂが装着孔３１を乗り越えて通過することになる。
【００４３】
そして、締結手段５Ａは、係止部５３Ａ，５３Ｂが装着孔３１を通過し終わると、分割胴部５１Ａ，５１Ｂの撓んだ変形が復元し、これに併せて係止部５３Ａ，５３Ｂ（の突出面部５３ｍ）が、図１（Ｂ）に例示されるように装着孔３１の開口縁に引っ掛けられて係止された状態になる。
【００４４】
この際、締結手段５Ａの頭部５２は、その全体が被締結部材２の陥没凹部４５に収容された状態になるとともに、頭部５２の裏面５２ｂが陥没凹部４５の底面部４５ｄに接触して停止した状態になる。
またこの際、締結手段５Ａにおける凸部５４Ａ，５４Ｂは、装着孔２１にある収容溝部４１Ａ，４１Ｂにそれぞれ収容された状態のままで停止して保持される。
【００４５】
以上により、２つの被締結部材２，３は、その装着孔２１，３１に装着された締結手段５Ａにおける頭部５２と係止部５３Ａ，５３Ｂとの間で挟まれた状態で締結される。
これをもって締結手段５Ａを用いた締結構造１Ａの締結が完了する。
【００４６】
そして、この締結構造１Ａによれば、締結手段５Ａを被締結部材２，３にある装着孔２１，３１に挿入方向Ａ１に挿入して装着するという作業を行うことにより被締結部材２，３が容易に締結される。
なお、この締結構造１Ａは、その締結が完了した後は、凸部５４Ａ，５４Ｂが装着孔２１にある収容溝部４１Ａ，４１Ｂにそれぞれ収容された状態に保たれているので、凸部５４Ａ，５４Ｂが締結手段５Ａの分割胴部５１Ａ，５１Ｂを撓ませて変形させるように作用するおそれがない。
【００４７】
また、この締結構造１Ａにおいては、締結が完了した際、図１（Ｂ）に例示されるように、締結手段５Ａの頭部５２の全体が被締結部材２の陥没凹部４５に収容されるので、その頭部５２が被締結部材２の表面から突出しない状態になる。
これにより、締結後の締結手段５Ａにおける頭部５２に不要な外力が接触して加えられることが回避される。またこれにより、その不要な外力が加わることによって、例えば、頭部５２が破損してしまうおそれもなく、あるいは、頭部５２が引き抜かるような状態になって締結手段５Ａによる締結状態（実際には係止部５３Ａ，５３Ｂの係止状態）が不用意に解除されてしまうおそれもない。
【００４８】
さらに、この締結構造１Ａにおいては、締結が完了した際、図１（Ｂ）に例示されるように、締結手段５Ａの頭部５２の裏面にある被案内突起５７Ａ，５７Ｂが、被締結部材２における陥没凹部４５の底面部４５ｄにある取り外し案内部４６Ａ，４６Ｂに対向して収容された状態になる。
具体的には、被案内突起５７Ａ，５７Ｂは、その各下面部５７ｍが取り外し案内部４６Ａ，４６Ｂにおける各対向面部４６ｍにそれぞれ対向して接近した状態になり、その各斜面部５７ｋが取り外し案内部４６Ａ，４６Ｂにおける各斜面部４６ｋとそれぞれ対向して接近した状態になる。なお、このとき下面部５７ｍが対向面部４６ｍと接触した状態になり、また斜面部５７ｋが斜面部４６ｋと接触した状態になってもよい。また、このときの被案内突起５７Ａ，５７Ｂは、その各垂下面５７ｊが、取り外し案内部４６Ａ，４６Ｂにおける各鉛直面４６ｅとそれぞれ対向して接近した状態になる。
【００４９】
このように被案内突起５７Ａ，５７Ｂが取り外し案内部４６Ａ，４６Ｂに対向して収容された状態になるのは、上記したように被案内突起５７Ａ，５７Ｂが締結手段５Ａにおける凸部５４Ａ，５４Ｂを基準にした位置関係で配置され、取り外し案内部４６Ａ，４６Ｂが装着孔２１における収容溝部４１Ａ，４１Ｂを基準にした位置関係で配置されているためである。
つまり、締結手段５Ａは、その装着の際、上記したように凸部５４Ａ，５４Ｂが装着孔２１において締結手段５Ａの挿入方向Ａ１に沿って延びる直線状の収容溝部４１Ａ，４１Ｂにそれぞれ収容されて直線状に案内されて移動する。このため、締結手段５Ａの頭部５２にある被案内突起５７Ａ，５７Ｂも、その凸部５４Ａ，５４Ｂと収容溝部４１Ａ，４１Ｂとの組み合わせによる案内移動に追従して移動する。この結果、被案内突起５７Ａ，５７Ｂは、装着孔２１の周囲にある取り外し案内部４６Ａ，４６Ｂにむけて位置合わせされた状態で移動するようになり、最終的に取り外し案内部４６Ａ，４６Ｂに対向して収容された状態になる。
【００５０】
ちなみに、この締結構造１Ａにおいては、仮に締結手段５Ａを装着孔２１に挿し込む際に、その係止部５３Ａ，５３Ｂと凸部５４Ａ，５４Ｂを装着孔２１にある収容溝部４１Ａ，４１Ｂに収容させないで装着孔２１の本来の内壁面（収容溝部４１Ａ，４１Ｂのない内壁部分）に接触させた状態で挿し込むことも可能である。
このような状態で締結手段５Ａの装着を行う場合には、以下のような操作を行うことにより締結が完了する。
【００５１】
すなわち、この場合は、まず締結手段５Ａの分割胴部５１Ａ，５１Ｂをその下端部が接近するように撓ませて変形させた状態にして装着孔２１，３１の双方を通過させるように挿入する。このときの締結手段５Ａの挿入動作は、頭部５２が陥没凹部４５に底面部４５ｄに接触した段階で停止させられる。
続いて、締結手段５Ａの頭部５２を図２（Ａ）に矢印Ｂで示す方向やその反対方向に回転させる。これにより、締結手段５Ａにおける凸部５４Ａ，５４Ｂを装着孔２１における収容溝部４１Ａ，４１Ｂに収容させる。このときの回転動作は、凸部５４Ａ，５４Ｂが収容溝部４１Ａ，４１Ｂに収容された段階で停止させられる。
そして、締結手段５Ａは、凸部５４Ａ，５４Ｂが収容溝部４１Ａ，４１Ｂに収容された段階で分割胴部５１Ａ，５１Ｂが撓んで変形する前の状態に復元するので、この変形の復元に合わせて係止部５３Ａ，５３Ｂ（の突出面部５３ｍ）が装着孔３１の開口縁に引っ掛けられて係止された状態になる。
以上の操作により、この場合における締結が完了した状態になる。
なお、このような状態で締結手段５Ａを装着するのは、例えば、装着孔２１に収容溝部４１Ａ，４１Ｂを設けない場合にも同様に行われることになる。
【００５２】
＜締結手段の取り外す際の動作＞
また、この締結手段５Ａを用いた締結構造１Ａは、締結手段５Ａを取り外すことにより締結状態を解除することができる。
【００５３】
この場合、締結手段５Ａは、図５に例示するように、その頭部５２を矢印Ｂで示す方向に回転させることにより、その胴部５１の分割胴部５１Ａ，５１Ｂが撓むように変形することで係止部５３Ａ，５３Ｂの係止した状態が解除される。
【００５４】
締結手段５Ａの取り外しに際しては、まず、図５（Ａ）に示されるように締結手段５Ａの頭部５２にある工具用凹部５６に回転用の工具２００の作用部を嵌め入れた後に、その工具２００により頭部５２を取り外し時に必要な矢印Ｂで示す方向に回転させる。
この際、締結手段５Ａの頭部５２が矢印Ｂで示す方向に回転させられると、頭部５２の下方にある分割胴部５１Ａ，５１Ｂが同じ矢印Ｂで示す方向に回転するので、分割胴部５１Ａ，５１Ｂにある凸部５４Ａ，５４Ｂも同じ矢印Ｂで示す方向に移動する。
またこの際、締結手段５Ａの頭部５２が陥没凹部４５に収容されていて被締結部材２の表面に突出していない状態にあるが、頭部５２に工具用凹部５６が設けられているので、その頭部５２の回転が容易に行われる。
【００５５】
これにより、凸部５４Ａ，５４Ｂは、図５（Ｂ）に示すように、装着孔２１にある収容溝部４１Ａ，４１Ｂから抜け出して装着孔２１の内壁面に乗り上げた状態になるとともに、締結手段５Ａの分割胴部５１Ａ，５１Ｂを向き合う２つの点線矢印Ｃ１，Ｃ２で例示するように装着孔２１のほぼ中心にむけて押す状態になる。
この結果、締結手段５Ａの分割胴部５１Ａ，５１Ｂは、図５（Ｂ）に示すように、その各下端部が装着孔３１のほぼ中心にむけて互いに移動して接近するように撓んで変形した状態になり、これに合わせて係止部５３Ａ，５３Ｂも装着孔３１のほぼ中心にむけて移動する（なお図５の下部では装着孔３１の図示を省略している）。この際、締結手段５Ａの分割胴部５１Ａ，５１Ｂは、互いの間に隙間５５が存在するように分割された形態になっているので、比較的容易に撓むよう変形する。
【００５６】
以上の回転動作により、締結手段５Ａの係止部５３Ａ，５３Ｂは、図５（Ｂ）に示すように、被締結部材３の装着孔３１の開口縁に引っ掛けられて係止されていた状態が解除される。この時点で、被締結部材２と被締結部材３の締結も解除される。
【００５７】
このときの締結手段５Ａの頭部５２の矢印Ｂで示す方向への回転は、被案内突起５７Ａ，５７Ｂの各下面部５７ｍが取り外し案内部４６Ａ，４６Ｂにおける各対向面部４６ｍに接触して移動することで案内される。
ちなみに、この締結構造１Ａにおいては、締結手段５Ａの頭部５２を矢印Ｂで示す方向とは反対方向に回転させようとしても、その反対方向の回転が阻止されるようになっている。つまり、その反対方向に回転させようとした場合は、頭部５２にある被案内突起５７Ａ，５７Ｂの垂下面５７ｊが被締結部材２の装着孔２１の周囲にある取り外し案内部４６Ａ，４６Ｂにおける鉛直面４６ｅに衝突して、その反対方向に回転が阻止される。これにより、頭部５２は、締結手段５Ａの取り外し時に必要な正しい方向のみに回転させられる。
【００５８】
続いて、締結手段５Ａの頭部５２を矢印Ｂで示す方向にさらに回転させる。
【００５９】
この際、頭部５２の下方にある被案内突起５７Ａ，５７Ｂの各下面部５７ｍが各斜面部５７ｋをきっかけにして、装着孔２１の周囲にある取り外し案内部４６Ａ，４６Ｂにおける各斜面部４６ｋに接触して上向きに移動させられるように案内される。
これにより、締結手段５Ａは、図５（Ｂ）や図５（Ｃ）に示されるように、胴部５１が矢印Ｂで示す方向に回転しながら引き抜き方向Ａ２に移動する。
【００６０】
そして、このときの締結手段５Ａは、被案内突起５７Ａ，５７Ｂの各下面部５７ｍが取り外し案内部４６Ａ，４６Ｂにおける各斜面部４６ｋを通過して陥没凹部４５の底面部４５ｄに乗り上げると、引き抜き方向Ａ２への上昇移動が停止する。
これにより、締結手段５Ａは、図５（Ｃ）に示されるように、頭部５２が被締結部材２の表面から浮き上がった状態になる。
【００６１】
最後に、締結手段５Ａについて、その頭部５２を手又は工具で挟んで引き抜き方向Ａ２に引っ張ることにより、その分割胴部５１Ａ，５１Ｂ全体を装着孔２１、３１から抜き出して取り外す。分割胴部５１Ａ，５１Ｂは、装着孔２１から抜き出された段階で、復元して撓んだ変形が解消される。
【００６２】
以上により、２つの被締結部材２，３は、締結手段５Ａによる締結が解除されて引き離すことが可能になる。
これをもって締結手段５Ａを用いた締結構造１Ａの締結が解除される。
【００６３】
そして、この締結構造１Ａによれば、締結手段５Ａを取り外す際に、締結手段５Ａを矢印Ｂで示す方向に回転させることにより自ら（分割胴部５１Ａ，５１Ｂ）が変形して係止部５３Ａ，５３Ｂの係止した状態が解除され、もって締結の状態が容易に解除される。
【００６４】
＜締結構造の適用例＞
図６は、この締結構造１Ａを適用した画像形成装置１００を示す。
【００６５】
この画像形成装置１００は、原稿の画像情報を読み取る画像読み取り部１０１、画像読み取り部１０１で読み取られた画像情報や他から入力される画像情報に基づいて電子写真方式等の画像形成方式により画像を形成して用紙等の記録媒体に出力する画像出力部１０２、画像出力部１０２に供給する記録媒体を収容して搬出する媒体供給部１０３等を備えたものである。図６において符号１０８はキャスタ、符号１０９は高さ調整機構を示す。
また、この画像形成装置１００は、図６に示されるように、一部の覆い部材２０が支持部材３０に締結する構造を備えている。
このうち覆い部材２０としては、例えば、画像読み取り部１０１における側面外装カバー１１１および裏面外装カバー１１２や、画像出力部１０２における側面外装カバー１２１および裏面外装カバー１２２や、媒体供給部１０３における側面外装カバー１３１，１３２および裏面外装カバー１３３，１３４等が挙げられる。また、支持部材３０としては、板金等からなる支持フレーム１５０、支持プレート等が挙げられる。
【００６６】
そして、この画像形成装置１００は、覆い部材２０を支持部材３０に対して締結手段５Ａを用いた締結構造１Ａにより締結するよう構成されている。図６において点線の丸で囲んだ部分は、締結の対象となる覆い部材２０において締結手段５Ａを装着する部分（装着孔２１を含む）である。
また、締結構造１Ａにより締結し合う覆い部材２０と支持部材３０には、締結手段５Ａを装着する装着孔２１，３１がそれぞれ設けられている。
【００６７】
このため、画像形成装置１００においては、締結構造１Ａの対象となる支持部材３０に覆い部材２０を取り付ける場合、上記したように締結手段５Ａを装着孔２１，３１に挿入して装着することにより、覆い部材２０が支持部材３０に容易に締結されて取り付けられる。
これにより、画像形成装置１００の製造時や修理後の組み立ては、例えばネジで締結する締結構造を採用した場合に比べると、締結手段５Ａを装着孔２１，３１に押し込んで挿入するという程度の作業で済むので、その作業速度や効率が高められる。また、締結手段５Ａの頭部５２が陥没凹部４５に収容されて覆い部材２０の表面に露出しないので、外観の品質が向上する。
【００６８】
また、この画像形成装置１００においては、締結構造１Ａを構成する覆い部材２０の一部又は全部を支持部材３０から取り外す際には、上記したように締結手段５Ａを装着孔２１，３１から引き抜いて取り外すことにより、該当する覆い部材２０が支持部材３０との締結から容易に解除されて取り外される。
これにより、画像形成装置１００の解体時や修理時における覆い部材２０の取り外しは、例えばネジで締結する締結構造を採用した場合に比べると、締結手段５Ａを所要の方向Ｂに回転させて取り外すという程度の作業で済むので、その作業速度や効率が高められる。
【００６９】
［実施の形態２］
図７および図８は、実施の形態２に係る締結構造１Ｂの一部を示すものである。図７はその締結構造１Ｂに用いる締結手段を示し、図８はその締結構造１Ｂに用いる被締結部材における装着孔およびその周辺部を示している。
この締結構造１Ｂは、実施の形態１に係る締結構造１Ａと比べた場合、被案内突起５７を設けていない締結手段５Ｂを適用している点と、取り出し案内部４６に代えて案内突部４７を設けた装着孔２１Ｂを備えた被締結部材２を適用している点で相違する。
【００７０】
このうち締結手段５Ｂは、図７に示されるように、頭部５２の裏面に上記被案内突起５７を設けていないこと以外は実施の形態１における締結手段５Ａ（図３等）と同じ構成からなっている。ただし、締結手段５Ｂは、案内突部４７との関係を考慮して、例えば、その係止部５３Ａ，５３Ｂの突出量ｅ１や凸部５４Ａ，５４Ｂの突出量ｅ２を実施の形態１における締結手段５Ａの場合よりも大きい寸法に変更してもよい。
また、被締結部材２における装着孔２１Ｂは、図８に示されるように、陥没凹部４５の底面部４５ｄに上記取り出し案内部４６を設けることなく、その内壁面に案内突部４７を設けた以外は実施の形態１における装着孔２１（図４等）と同じ構成からなるものである。ただし、装着孔２１Ｂについても、案内突部４７との関係を考慮して、例えば、その孔径Ｄ１を実施の形態１における装着孔２１の孔径Ｄ１よりも小さい寸法に変更することや、収容溝部４１Ａ、４１Ｂの深さｍ１を実施の形態１における深さｍ１よりも大きい寸法に変更してもよい。
さらに、実施の形態２における案内突部４７は、図９（Ａ）に示されるように締結手段５Ｂにおける２つの凸部５４Ａ，５４Ｂに対応させるように設けられる２つの案内突部４７Ａ，４７Ｂで構成されている。
【００７１】
この案内突部４７Ａ，４７Ｂは、図８や図９に示されるように、装着孔２１Ｂの内壁面のうち収容溝部４１Ａ，４１Ｂから分割胴部５１Ａ，５１Ｂの挿入方向Ａ１と交差する方向Ｅ１に離れた部位において、締結手段５Ｂにおける凸部５４Ａ，５４Ｂを接触させて胴部５１の引き抜き方向Ａ２に二点鎖線Ｋ１で例示する斜め上向きに案内するように設けられた突起状の案内部である。この交差する方向Ｅ１は、挿入方向Ａ１とほぼ直角（例えば９０°±１０°の範囲内の角度）で交差する方向であり、締結手段５Ｂの取り外しの際における回転させる方向Ｂと対応する方向である。
また、この案内突部４７Ａ，４７Ｂはいずれも、図９（Ｂ）に例示されるように、収容溝部４１（４１Ａ）から矢印Ｅ１で示す方向に所定の距離ｔ１だけ離れた位置から、所要の仰角でかつ所要の長さで直線状に延びる案内斜面４７ａを有した突起として形成されている。
【００７２】
案内斜面４７ａは、装着孔２１Ｂの内壁面から所定の突出量ｇで突出した面が、締結手段５Ｂの凸部５４（５４Ａ）と装着孔２１Ｂの下端２１ｂとの距離ｈ５と同じ高さか又は少し低い高さｈ６からなる下端４７ａｓから所要の仰角で延びている。
突出量ｇについては、例えば、締結手段５Ｂが装着孔２１Ｂに装着されたときの分割胴部５１Ａ，５１Ｂと装着孔２１Ｂの内壁面との隙間の距離と同じ寸法に設定される。これにより、案内突部４７（案内斜面４７ａ）が、装着されたときの締結手段５Ｂの分割胴部５１Ａ，５１Ｂを装着孔２１Ｂの中心にむけて押すことがないようにできる。
また、案内斜面４７ａは、締結手段５Ｂの頭部５２が陥没凹部４５から上昇して被締結部材２の表面から浮き上がった状態になるのに必要な案内高さｈ７まで凸部５４（５４Ａ）を案内するために求められる長さで形成されている。案内斜面４７ａの上端４７ａｅは、案内高さｈ７と同じ高さか又は少し高い高さに設定される。
【００７３】
さらに、案内突部４７Ａ，４７Ｂはいずれも、案内斜面４７ａを有し、締結手段５Ｂの係止部５３Ａ，５３Ｂが装着孔２１Ｂを通過するときの障害にならない形状であればよい。実施の形態２では、例えば、案内斜面４７ａの下方側に、案内斜面４７ａとほぼ平行する下方斜面４７ｂを形成した形状にしている。
ちなみに、この案内突部４７Ａ，４７Ｂは、実施の形態１における取り出し案内部４６が締結手段５Ａに被案内突起５７を併せて設ける必要があるのに対して、そのような被案内突起５７を設ける必要がなく、その被案内突起５７の代わりとして締結手段５Ｂにある凸部５４Ａ，５４Ｂを利用することで足りるので、簡素な構成で済む。
【００７４】
＜締結の動作＞
この締結手段５Ｂを用いた締結構造１Ｂの締結の動作は、以下の少し異なる点を除けば、実施の形態１に係る締結構造１Ａによる締結の動作と同じである。
すなわち、締結手段５Ｂは、その分割胴部５１Ａ，５１Ｂの下端部から被締結部材２における装着孔２１Ｂに挿入方向Ａ１に沿って挿し込むことで、装着孔２１Ｂ，３１への装着が開始されるが、この際、以下の２つの異なる挿入が行われることがある。
【００７５】
一つは、締結手段５Ｂを、その係止部５３Ａ，５３Ｂおよび凸部５４Ａ，５４Ｂが最初から装着孔２１Ｂにある収容溝部４１Ａ，４１Ｂに収容されるように位置合わせした状態で挿入する場合である。
【００７６】
この場合は、締結手段５Ｂの係止部５３Ａ，５３Ｂが被締結部材３の装着孔３１を通過して装着孔３１の開口縁に係止された状態になった段階で、締結手段５Ｂの装着が完了する。
しかしこの場合、締結手段５Ｂは、その係止部５３Ａ，５３Ｂおよび凸部５４Ａ，５４Ｂが、装着孔２１Ｂの収容溝部４１Ａ，４１Ｂに収容された状態で案内されて移動するので、装着孔２１Ｂの内壁面において収容溝部４１Ａ，４１Ｂから離れた位置にある案内突部４７Ａ，４７Ｂに接触することはない。
ちなみに、この装着が完了したときの締結手段５Ｂの頭部５２は、図１０（Ａ）に示されるように、その裏面が陥没凹部４５の底面部４５ｄに接触して陥没凹部４５内に収容された状態になる。
【００７７】
もう一つは、締結手段５Ｂを、その係止部５３Ａ，５３Ｂと凸部５４Ａ，５４Ｂを装着孔２１Ｂにある収容溝部４１Ａ，４１Ｂに収容させないで装着孔２１Ｂの本来の内壁面に接触させた状態で挿入する場合である。
【００７８】
この場合も最終的には、締結手段５Ｂの係止部５３Ａ，５３Ｂが被締結部材３の装着孔３１を通過して装着孔３１の開口縁に係止された状態になった段階で、締結手段５Ｂの装着が完了する。
ところが、この場合は、締結手段５Ｂにおける係止部５３Ａ，５３Ｂが、装着孔２１Ｂの内壁面にある案内突部４７Ａ，４７Ｂに挿入の途中で接触することがある。また、この場合は、凸部５４Ａ，５４Ｂが係止部５３Ａ，５３Ｂに少し遅れて案内突部４７Ａ，４７Ｂに挿入の途中で接触することもある。
【００７９】
しかし、この場合でも、案内突部４７Ａ，４７Ｂが締結手段５Ｂの挿入方向Ａ１と斜めに交差する案内斜面４７ａを有するものであるため、係止部５３Ａ，５３Ｂ（および凸部５４Ａ，５４Ｂ）は案内斜面４７ａに案内されて挿入方向Ａ１に斜めに進むようにして移動する。つまり、案内突部４７Ａ，４７Ｂは、このときの係止部５３Ａ，５３Ｂおよび凸部５４Ａ，５４Ｂの挿入移動時の障害にならない。また、このときの凸部５４Ａ，５４Ｂは、収容溝部４１Ａ，４１Ｂに接近するように移動させられ、最終的には収容溝部４１Ａ，４１Ｂに収容されるようになる。
したがって、この場合であっても、締結手段５Ｂは、装着孔２１Ｂを円滑に通過して何ら支障なく装着孔２１Ｂ，３１に装着される。
【００８０】
＜締結手段の取り外す際の動作＞
また、この締結手段５Ｂを用いた締結構造１Ｂは、以下の少し異なる点を除けば、締結手段５Ｂを取り外すことにより、実施の形態１に係る締結構造１Ａの場合とほぼ同様に締結状態を解除することができる。
【００８１】
すなわち、この締結構造１Ｂにおいても最終的には、図１０に示されるように、締結手段５Ｂの頭部５２を矢印Ｂで示す方向に回転させることにより、その分割胴部５１Ａ，５１Ｂが撓むように変形することで係止部５３Ａ，５３Ｂの係止した状態が解除される。
しかし、締結手段５Ｂは、その取り外しの際に、図１０（Ｂ）や図１０（Ｃ）に示されるように、矢印Ｂで示す方向に回転させられている過程で、その凸部５４Ａ，５４Ｂが装着孔２１Ｂの内壁面にある案内突部４７Ａ，４７Ｂによって引き抜き方向Ａ２に移動させられる。なお図１０の下部においても装着孔３１の図示を省略している。
【００８２】
詳しくは、締結手段５Ｂは、矢印Ｂで示す方向に回転され始めた段階では、その凸部５４Ａ，５４Ｂが、図１０（Ｂ）に示すように、装着孔２１Ｂにある収容溝部４１Ａ，４１Ｂから抜け出して装着孔２１Ｂの内壁面に乗り上げた状態になる。
続いて、締結手段５Ｂは、矢印Ｂで示す方向にさらに回転させられると、図９（Ｂ）や図１０（Ｂ）に示されるように、その凸部５４Ａ，５４Ｂが、装着孔２１Ｂの内壁面にある収容溝部４１Ａ，４１Ｂから離れた部位にある案内突部４７Ａ，４７Ｂの各案内斜面４７ａに接触し、しかる後、その各案内斜面４７ａに接触して矢印Ｋ１で例示するような上向きの方向に移動させられるように案内される。
これにより、締結手段５Ｂは、図１０（Ｂ）や図１０（Ｃ）に示されるように、分割胴部５１Ａ，５１Ｂが矢印Ｂで示す方向に回転しながら引き抜き方向Ａ２に上昇するように移動する。
【００８３】
そして、このときの締結手段５Ｂは、凸部５４Ａ，５４Ｂが案内突部４７Ａ，４７Ｂの各案内斜面４７ａにおける上端４７ａｅの手前位置まで移動すると、図１０（Ｃ）に示されるように、頭部５２が被締結部材２の表面から浮き上がった状態になる。
最後に、締結手段５Ｂについて、その頭部５２を手又は工具で挟んで引き抜き方向Ａ２に引っ張ることにより、その分割胴部５１Ａ，５１Ｂ全体を装着孔２１Ｂ、３１から抜き出して取り外す。分割胴部５１Ａ，５１Ｂは、装着孔２１Ｂから抜き出された段階で、復元して撓んだ変形が解消される。
【００８４】
以上により、２つの被締結部材２，３は、締結手段５Ｂによる締結が解除されて引き離すことが可能になる。
これをもって締結手段５Ｂを用いた締結構造１Ｂの締結が解除される。
【００８５】
また、この締結構造１Ｂにおいては、締結手段５Ｂの分割胴部５１Ａ，５１Ｂ全体を装着孔２１Ｂから抜き出す際に、分割胴部５１Ａ，５１Ｂの下端側にある係止部５３Ａ，５３Ｂが装着孔２１Ｂの内壁面から突出している案内突部４７Ａ，４７Ｂに抜き出しの途中で接触することがある。
しかし、この場合でも、案内突部４７Ａ，４７Ｂが案内斜面４７ａの下方側にほぼ平行して傾斜する下方斜面４７ｂを有しているので、締結手段５Ｂの係止部５３Ａ，５３Ｂが下方斜面４７ｂに接触して上向きに移動させられるように案内される。
つまり、この場合は、締結手段５Ｂは、装着孔２１Ｂ内において矢印Ｂで示す方向に回転させながら引き抜き方向Ａ２に引っ張られることにより上昇移動し、最後に装着孔２１Ｂから抜き出される。
【００８６】
［実施の形態３］
図１１および図１２は、実施の形態３に係る締結構造１Ｃの一部を示すものである。図１１はその締結構造１Ｃに用いる締結手段を示し、図１２はその締結構造１Ｃに用いる被締結部材における装着孔およびその周辺部を示している。
この締結構造１Ｃは、実施の形態２に係る締結構造１Ｂと比べた場合、案内突部４７に代えて案内溝部４８を設けた装着孔２１Ｃを備えた被締結部材２を適用している点で相違する。ちなみに、この締結構造１Ｃは、実施の形態２における締結手段５Ｂ（図７）を同様に用いる。
【００８７】
被締結部材２における装着孔２１Ｃは、図１１に示されるように、その内壁面に案内突部４７に代えて案内溝部４８を設けた以外は実施の形態２における装着孔２１Ｂ（図８、図９等）と同じ構成からなるものである。ただし、装着孔２１Ｃにおいても、案内溝部４８との関係を考慮して、実施の形態２における装着孔２１Ｂの場合とほぼ同様に、例えば、その孔径Ｄ１を実施の形態１における装着孔２１の孔径Ｄ１よりも小さい寸法に変更することや、収容溝部４１Ａ、４１Ｂの深さｍ１を実施の形態１における深さｍ１よりも大きい寸法に変更してもよい。
また、実施の形態３における案内溝部４８は、図１２（Ａ）に示されるように締結手段５Ｂにおける２つの凸部５４Ａ，５４Ｂに対応させるように設けられる２つの案内溝部４８Ａ，４８Ｂで構成されている。
【００８８】
この案内溝部４８Ａ，４８Ｂは、図１１や図１２に示されるように、装着孔２１Ｃの内壁面のうち収容溝部４１Ａ，４１Ｂから矢印Ｅ１で示す方向に離れた部位において、締結手段５Ｂにおける凸部５４Ａ，５４Ｂを導き入れて胴部５１の引き抜き方向Ａ２に二点鎖線Ｋ２で例示する斜め上向きに案内するように設けられた溝状の案内部である。
また、この案内溝部４８Ａ，４８Ｂはいずれも、図１２（Ｂ）に例示されるように、収容溝部４１（４１Ａ）から矢印Ｅ１で示す方向に所定の距離ｔ２だけ離れた位置から、所要の仰角でかつ所要の長さで直線状に延びる案内斜面４８ａを有した溝として形成されている。この離れる距離ｔ２は、実施の形態２における案内突部４７Ａ，４７Ｂの離れる距離ｔ１と同じ値であるが、異なった値にしても構わない。
【００８９】
案内斜面４８ａは、装着孔２１Ｃの内壁面から所定の深さｓで陥没した面が、締結手段５Ｂの凸部５４（５４Ａ）と装着孔２１Ｃの下端２１ｂとの距離ｈ５と同じ高さか又は少し低い高さｈ８からなる下端４８ａｓから所要の仰角で延びている。
深さｓについては、例えば、締結手段５Ｂの凸部５４が装着孔２１Ｃの内壁面に乗り上げた後に、その凸部５４の一部が収容されて案内斜面４８ａに接触することが可能な寸法であり、凸部５４の突出量ｅ２より少し低い寸法に設定される。これにより、案内溝部４８（案内斜面４８ａ）が、取り外しの際の締結手段５Ｂの分割胴部５１Ａ，５１Ｂを装着孔２１Ｃの中心にむけて少し押す力を発生するようにできる。
また、案内斜面４８ａは、締結手段５Ｂの頭部５２が陥没凹部４５から上昇して被締結部材２の表面から浮き上がった状態になるのに必要な案内高さｈ９まで凸部５４（５４Ａ）を案内するために求められる長さで形成されている。案内斜面４８ａの上端４８ａｅは、案内高さｈ９と同じ高さか又は少し高い高さに設定される。
【００９０】
また、案内溝部４８Ａ，４８Ｂはいずれも、案内斜面４８ａを有する溝の形状であればよい。実施の形態３では、例えば、案内斜面４８ａの上方側に、案内斜面４８ａとほぼ平行する上方斜面４８ｂを形成した形状にしている。この上方斜面４８ｂは、案内斜面４８ａから締結手段５Ｂの引き抜き方向Ａ２の下流側にむけて深さが次第に浅くなるような傾斜面の最終地点（稜線）に相当する部分としてもよい。
さらに、案内溝部４８Ａ，４８Ｂは、図１２（Ｂ）に二点鎖線で示すように収容溝部４１Ａ、４１Ｂとの間に、締結手段５Ｂの取り外しの際に凸部５４Ａ，５４Ｂを案内溝部４８Ａ，４８Ｂにまで的確に誘導する誘導溝４９を設けてもよい。この誘導溝４９の深さは、収容溝部４１Ａ、４１Ｂの深さｍ１よりも小さい（浅くなる）寸法に設定される。また、この誘導溝４９を設ける場合は、例えば、締結手段５Ｂにおける凸部５４Ａ，５４Ｂの突出量ｅ２を係止部５３Ａ，５３Ｂの突出量ｅ１よりも大きい寸法に設定しておくとよい。
ちなみに、この案内溝部４８Ａ，４８Ｂは、実施の形態２における案内突部４７Ａ，４７Ｂの場合と同様に、実施の形態１における取り出し案内部４６とは異なり被案内突起５７を締結手段５Ａに併せて設ける必要がなく、その被案内突起５７の代わりとして締結手段５Ｂにある凸部５４Ａ，５４Ｂを利用することで足りるので、簡素な構成で済む。
【００９１】
＜締結の動作＞
この締結手段５Ｂを用いた締結構造１Ｃの締結の動作は、以下の少し異なる点を除けば、実施の形態１に係る締結構造１Ａによる締結の動作と同じである。
すなわち、締結手段５Ｃは、その分割胴部５１Ａ，５１Ｂの下端部から被締結部材２における装着孔２１Ｃに挿入方向Ａ１に沿って挿し込むことで、装着孔２１Ｃ，３１への装着が開始されるが、この際、以下の２つの異なる挿入が行われることがある。
【００９２】
一つは、締結手段５Ｂを、その係止部５３Ａ，５３Ｂおよび凸部５４Ａ，５４Ｂが最初から装着孔２１Ｃにある収容溝部４１Ａ，４１Ｂに収容されるように位置合わせした状態で挿入する場合である。
【００９３】
この場合は、締結手段５Ｂの係止部５３Ａ，５３Ｂが被締結部材３の装着孔３１を通過して装着孔３１の開口縁に係止された状態になった段階で、締結手段５Ｂの装着が完了する。
しかしこの場合、締結手段５Ｂは、その係止部５３Ａ，５３Ｂおよび凸部５４Ａ，５４Ｂが、装着孔２１Ｃの収容溝部４１Ａ，４１Ｂに収容された状態で案内されて移動するので、装着孔２１Ｃの内壁面において収容溝部４１Ａ，４１Ｂから離れた位置にある案内溝部４８Ａ，４８Ｂに入り込むことはない。
ちなみに、この装着が完了したときの締結手段５Ｂの頭部５２は、図１３（Ａ）に示されるように、その裏面が陥没凹部４５の底面部４５ｄに接触して陥没凹部４５内に収容された状態になる。
【００９４】
もう一つは、締結手段５Ｂを、その係止部５３Ａ，５３Ｂと凸部５４Ａ，５４Ｂを装着孔２１Ｃにある収容溝部４１Ａ，４１Ｂに収容させないで装着孔２１Ｃの本来の内壁面に接触させた状態で挿入する場合である。
【００９５】
この場合も最終的には、締結手段５Ｂの係止部５３Ａ，５３Ｂが被締結部材３の装着孔３１を通過して装着孔３１の開口縁に係止された状態になった段階で、締結手段５Ｂの装着が完了する。
ところが、この場合は、締結手段５Ｂにおける係止部５３Ａ，５３Ｂが、装着孔２１Ｃの内壁面にある案内溝部４８Ａ，４８Ｂに挿入の途中で入り込むことがある。また、この場合は、凸部５４Ａ，５４Ｂが係止部５３Ａ，５３Ｂに少し遅れて案内溝部４８Ａ，４８Ｂに挿入の途中で入り込むこともある。
【００９６】
しかし、この場合でも、案内溝部４８Ａ，４８Ｂが締結手段５Ｂの挿入方向Ａ１と斜めに交差して延びる案内斜面４８ａを有するものであるため、係止部５３Ａ，５３Ｂ（および凸部５４Ａ，５４Ｂ）は案内斜面４８ａに案内されて挿入方向Ａ１に斜めに進むようにして移動する。つまり、案内溝部４８Ａ，４８Ｂは、このときの係止部５３Ａ，５３Ｂおよび凸部５４Ａ，５４Ｂの挿入移動時の障害にならない。また、このときの凸部５４Ａ，５４Ｂは、収容溝部４１Ａ，４１Ｂに接近するように移動させられ、最終的には収容溝部４１Ａ，４１Ｂに収容されえるようになる。
したがって、この場合であっても、締結手段５Ｂは、装着孔２１Ｃを円滑に通過して何ら支障なく装着孔２１Ｃ，３１に装着される。
【００９７】
＜締結手段の取り外す際の動作＞
また、この締結手段５Ｂを用いた締結構造１Ｃは、以下の少し異なる点を除けば、締結手段５Ｂを取り外すことにより、実施の形態１に係る締結構造１Ａの場合とほぼ同様に締結状態を解除することができる。
【００９８】
すなわち、この締結構造１Ｃにおいても最終的には、図１３に示されるように、締結手段５Ｂの頭部５２を矢印Ｂで示す方向に回転させることにより、その分割胴部５１Ａ，５１Ｂが撓むように変形することで係止部５３Ａ，５３Ｂの係止した状態が解除される。
しかし、締結手段５Ｂは、その取り外しの際に、図１３（Ｂ）や図１３（Ｃ）に示されるように、矢印Ｂで示す方向に回転させられている過程で、その凸部５４Ａ，５４Ｂが装着孔２１Ｃの内壁面にある案内溝部４８Ａ，４８Ｂによって引き抜き方向Ａ２に移動させられる。なお図１３の下部においても装着孔３１の図示を省略している。
【００９９】
詳しくは、締結手段５Ｂは、矢印Ｂで示す方向に回転され始めた段階では、その凸部５４Ａ，５４Ｂが、図１３（Ｂ）に示すように、装着孔２１Ｃにある収容溝部４１Ａ，４１Ｂから抜け出して装着孔２１Ｃの内壁面に乗り上げた状態になる。
続いて、締結手段５Ｂは、矢印Ｂで示す方向にさらに回転させられると、図１２（Ｂ）や図１３（Ｂ）に示されるように、その凸部５４Ａ，５４Ｂが、装着孔２１Ｃの内壁面にある収容溝部４１Ａ，４１Ｂから離れた部位にある案内溝部４８Ａ，４８Ｂに入り込んで各案内斜面４８ａに接触した状態になり、しかる後、その各案内斜面４８ａに接触して上向きに移動させられるように案内される。
これにより、締結手段５Ｂは、図１３（Ｂ）や図１３（Ｃ）に示されるように、分割胴部５１Ａ，５１Ｂが矢印Ｂで示す方向に回転しながら引き抜き方向Ａ２に上昇するように移動する。
【０１００】
そして、このときの締結手段５Ｂは、凸部５４Ａ，５４Ｂが案内溝部４８Ａ，４８Ｂの各案内斜面４８ａにおける上端４８ａｅ（図１２（ｂ））の手前位置まで移動すると、図１３（Ｃ）に示されるように、頭部５２が被締結部材２の表面から浮き上がった状態になる。
最後に、締結手段５Ｂについて、その頭部５２を手又は工具で挟んで引き抜き方向Ａ２に引っ張ることにより、その分割胴部５１Ａ，５１Ｂ全体を装着孔２１Ｃ、３１から抜き出して取り外す。分割胴部５１Ａ，５１Ｂは、装着孔２１Ｃから抜き出された段階で、復元して撓んだ変形が解消される。
【０１０１】
以上により、２つの被締結部材２，３は、締結手段５Ｂによる締結が解除されて引き離すことが可能になる。
これをもって締結手段５Ｂを用いた締結構造１Ｃの締結が解除される。
【０１０２】
また、この締結構造１Ｃにおいては、締結手段５Ｂの分割胴部５１Ａ，５１Ｂ全体を装着孔２１Ｃから抜き出す際に、分割胴部５１Ａ，５１Ｂの下端側にある係止部５３Ａ，５３Ｂが装着孔２１Ｃの内壁面にある案内溝部４８Ａ，４８Ｂを抜き出しの途中で入り込むことがある。
しかし、この場合であっても、案内溝部４８Ａ，４８Ｂが溝であることから係止部５３Ａ，５３Ｂの移動の障害になりにくく、また案内溝部４８Ａ，４８Ｂが案内斜面４８ａの上方側にほぼ平行して傾斜する上方斜面４８ｂを有しているので、締結手段５Ｂの係止部５３Ａ，５３Ｂが上方斜面４８ｂに接触して上向きに移動させられるように案内される。
つまり、この場合は、締結手段５Ｂは、装着孔２１Ｃ内において矢印Ｂで示す方向に回転させながら引き抜き方向Ａ２に引っ張られることにより上昇移動し、最後に装着孔２１Ｃから支障なく抜き出される。
【０１０３】
［変形例］
この発明は、実施の形態１−３で例示した内容に何ら限定されるものではなく種々の変更が可能であり、例えば、以下に挙げるような変形例も含むものである。
【０１０４】
実施の形態１に係る締結構造１Ａにおいては、図１４に示されるように、装着孔２１が設けられる被締結部材２として、収容溝部４１Ａ，４１Ｂに代えて収容凹部４２Ａ，４２Ｂを設けた装着孔２１Ｄを備えた被締結部材２を適用してもよい。締結構造１Ａは、この収容凹部４２Ａ，４２Ｂを設けた装着孔２１Ｄを備えた被締結部材２を適用した場合には変形例の締結構造１Ｄとなる。
【０１０５】
収容凹部４２Ａ，４２Ｂは、締結手段５Ａが装着孔２１Ｄ，３１に装着されて締結構造１Ｄの締結が完了した際に、その締結手段５Ａの凸部５４Ａ，５４Ｂが収容される凹部である。この変形例における収容凹部４２Ａ，４２Ｂは、装着孔２１Ｄの内壁面においてその下端２１ｂから所要の距離だけ上端側に入り込んだ位置まで胴部５１の挿入方向Ａ１に沿って直線状に延びる溝状の凹部として設けられている。収容凹部４２Ａ，４２Ｂの上記所要の距離は、締結手段５Ａが装着孔２１Ｄ，３１に装着されて締結が完了したときの凸部５４Ａ，５４Ｂの位置に対応して設定される。
また、この収容凹部４２Ａ，４２Ｂは、装着孔２１Ｄの上端２１ａ側の一定の範囲に設けられていない点で収容溝部４１Ａ，４１Ｂと異なるが、それ以外については収容溝部４１Ａ，４１Ｂの条件（深さｍ１、幅ｗ３、アール面４１ｒ等）と同じ条件のもとで形成される。
【０１０６】
この収容凹部４２Ａ，４２Ｂを設けた装着孔２１Ｄを備えた被締結部材２を用いる変形例の締結構造１Ｄは、その締結に際しては締結手段５Ａの凸部５４Ａ，５４Ｂが装着孔２１Ｄにおける収容凹部４２Ａ，４２Ｂに収容されることと、その締結の状態を解除する際に締結手段５Ａの凸部５４Ａ，５４Ｂが収容凹部４２Ａ，４２Ｂから脱出して装着孔２１Ｄの内壁面に乗り上げることが異なるが、それ以外は実施の形態１に係る締結構造１Ａによる締結やその解除の場合とほぼ同様にして締結やその解除が行われる。
また、この変形例の締結構造１Ｄにおける収容凹部４２Ａ，４２Ｂは、実施の形態１等における収容溝部４１Ａ，４１Ｂに比べて、締結手段５Ａの凸部５４Ａ，５４Ｂを締結の際に収容する部分として必要最小限の大きさで済む。図１４に例示する収容凹部４２Ａ，４２Ｂは、締結手段５Ａの装着の際に凸部５４Ａ，５４Ｂの収容部として使用しない部分（例えば凸部５４Ａ，５４Ｂよりも装着孔２１Ｄの下端２１ｂの側にある凹部）を設けなければ、より一層必要最小限の大きさで済む。
なお、収容凹部４２Ａ，４２Ｂは、実施の形態２における装着孔２１Ｂや実施の形態３における装着孔２１Ｃにも同様に設けることが可能である。
【０１０７】
実施の形態１に係る締結構造１Ａにおいては、図１５に示されるように、被締結部材として３つの被締結部材２，３，４を適用してもよい。
【０１０８】
この変形例の場合、被締結部材２，３，４は、図１５に示されるように、所要の装着孔２１Ｅ，３１，４４が設けられる。このうち被締結部材４は、締結の際に被締結部材２，３の間に挟まれるように配置される部材である。
また、被締結部材２は、図１５に示されるように、実施の形態１における被締結部材２の場合と同様に、その装着孔２１Ｅの周囲に陥没凹部４５が設けられ、その陥没凹部４５の底面部４５ｄに取り外し案内部４６が設けられる。また、装着孔２１Ｅの内壁面には、実施の形態１における装着孔２１の場合とほぼ同様に、収容溝部４１Ａ，４１Ｂが設けられる。この装着孔２１Ｅの内壁面に設ける収容溝部４１Ａ，４１Ｂは、装着孔２１Ｅの上端から下端に至るまでの長さが短くなることに合わせて同様に短くなる。
さらに、被締結部材４の装着孔４４の内壁面には、図１５に示されるように、被締結部材２の装着孔２１Ｅにおける収容溝部４１Ａ，４１Ｂと整合して連続する収容溝部４１Ｃ，４１Ｄが設けられる。
【０１０９】
この３つの被締結部材２，３，４を用いる変形例の締結構造１Ｅは、その締結に際しては３つの被締結部材２，３，４を重ね合わせる状態にした後に締結手段５Ａを装着孔２１Ｅ，４４，３１に装着することと、その締結の状態を解除する際に締結手段５Ａを装着孔２１Ｅ，４４，３１から引き抜くことが少々異なるが、それ以外は実施の形態１に係る締結構造１Ａによる締結やその解除の場合とほぼ同様にして締結やその解除が行われる。また、この締結構造１Ｅでは、その締結の際、締結手段５Ａにおける凸部５４Ａ，５４Ｂが、図１５（Ｂ）に示されるように被締結部材４の装着孔４４における収容溝部４１Ｃ，４１Ｄに収容された状態に保たれる。
【０１１０】
なお、３つの被締結部材２，３，４は、実施の形態２に係る締結構造１Ｂや実施の形態３に係る締結構造１Ｃにも同様に適用することが可能である。
また、この変形例の締結構造１Ｅにおいては、装着孔２１Ｅに収容溝部４１Ａ，４１Ｂを設けなくてもよく、この場合は、被締結部材４の装着孔４４における収容溝部４１Ｃ，４１Ｄが上記変形例の締結構造１Ｄの場合で設けた収容凹部４２Ａ，４２Ｂとほぼ同じ収容凹部になる。
【０１１１】
実施の形態１−３（上記変形例を含む）では、締結手段５として３つ以上に分割された分割胴部を有する形状のものを適用してもよい。その場合、分割胴部の数に対応して同数の係止部５３および凸部５４を設ける必要がある。
【０１１２】
また、実施の形態１−３（上記変形例を含む）では、締結構造１（１Ａ，１Ｂ，１Ｃ，１Ｄ，１Ｅ）を画像形成装置１００における覆い部材２０を支持部材３０に締結する構造に適用した場合を例示したが、締結構造１は、画像形成装置１００における覆い部材２０と支持部材３０以外の複数の被締結部材どうしを締結する構造に適用してもよい。また、締結構造１は、画像形成装置以外の各種の装置や構造物における締結の構造に適用することも可能である。
【０１１３】
この他、締結構造１を適用する画像形成装置１００は、実施の形態１等で例示した形式のものに限定されず、電子写真方式を利用した他の形式の画像形成装置であってもよい。さらに、締結構造１を適用する画像形成装置については、電子写真方式以外の画像形成方式（例えば液滴噴射方式、印刷方式など）を採用する画像形成装置であっても構わない。
【符号の説明】
【０１１４】
１  …締結構造
２，３，４…被締結部材
５  …締結手段
２０…覆い部材
２１，３１，４４…装着孔
３０…支持部材
４１…収容溝部
４２…収容凹部
４５…陥没凹部
４５ｄ…底面部
４６…取り外し案内部
４６ｍ…対向面部
４６ｋ…斜面部
４７…案内突部
４８…案内凹部
５１…胴部
５１Ａ，５１Ｂ…分割胴部
５２…頭部
５３…係止部
５４…凸部
５７…被案内突起
１００…画像形成装置
２００…ドライバー（回転用の工具の一例）
Ａ１…挿入方向
Ａ２…引き抜き方向
Ｂ  …締結手段を回転させる方向
Ｅ１…挿入方向と交差する方向
Ｋ１，Ｋ２…斜め上向きの方向
【図１】
2020026860.tif 000003
【図２】
2020026860.tif 000004
【図３】
2020026860.tif 000005
【図４】
2020026860.tif 000006
【図５】
2020026860.tif 000007
【図６】
2020026860.tif 000008
【図７】
2020026860.tif 000009
【図８】
2020026860.tif 000010
【図９】
2020026860.tif 000011
【図１０】
2020026860.tif 000012
【図１１】
2020026860.tif 000013
【図１２】
2020026860.tif 000014
【図１３】
2020026860.tif 000015
【図１４】
2020026860.tif 000016
【図１５】
2020026860.tif 000017